(57)【要約】【解決手段】  電気コネクタハウジング１４は、受入領域４０内にそれに取付けられた接点１６とともにフラット導体ケーブル１８を受入れるために寸法どりされ、形づくられる前記受領領域４０を有する主本体３４と、リビングヒンジ３８によって前記主本体３４に接続されるロッキング区分３６とを有する。このロッキング区分３６は、前端５４および後端５６とを有する。このロッキング区分３６が主本体３４の受入孔内に挿入されるときに、前記前端５４は、前記受入領域４０内に位置する少なくとも1つの接点１６の引込みを妨げるように適合され、前記後端５６は、前記主本体３４に対してフラット導体ケーブル１８を押圧してケーブル１８のための歪み逃げを形成するために寸法どりされ、形づくられる少なくとも1つの歪み逃げ突起を有する。
2006511918.tif 000002
【特許請求の範囲】
【請求項１】
受入領域内にそれに取付けられた接点とともにフラット導体ケーブルを受入れるために寸法どりされ形づくられる受入領域を有する主本体と、リビングヒンジによって前記主本体に接続されたロッキング区分であって、このロッキング区分は、前端および後端を有し、前記ロッキング区分が前記主本体の受入孔内に挿入されるときに、前記前端が前記受入領域に位置する接点の少なくとも１つの引込みを阻止するようにされ、かつ、前記後端が前記フラット導体ケーブルを前記主本体に対して押圧してそのケーブルのための歪み逃げを形成するために寸法どりされ形づくられる少なくとも1つの歪み逃げ突起を有するものとを有する電気コネクタハウジング。
【請求項２】
前記主本体と、前記ロッキング区分と、前記リビングヒンジとは、一体成形されたプラスチック部材からなる前記請求項１記載の電気コネクタハウジング。
【請求項３】
前記主本体は、前記接点の第１端子ラッチを受入れるようにされたラッチ受入孔を有する前記請求項１記載の電気コネクタハウジング。
【請求項４】
前記ロッキング区分の前端は、スナップロックラッチング区分を有する前記請求項１記載の電気コネクタハウジング。
【請求項５】
前記ロッキング区分の後端は、スナップロックラッチング区分を有する前記請求項４記載の電気コネクタハウジング。
【請求項６】
前記リビングヒンジは、前記主本体の後端から延びる前記請求項１記載の電気コネクタハウジング。
【請求項７】
前記請求項１記載の電気コネクタハウジングと、フラット導体ケーブルと、前記ケーブルに取付けられた電気接点とを有してなり、前記接点およびケーブルの一部分は前記ハウジング内に配置され、前記ロッキング区分は、前記ハウジングから接点の引込みを阻止する前記ロッキング区分の前端、および前記ケーブルのための歪み逃げを形成するために前記主本体に対して前記フラット導体ケーブルをクランプする前記ロッキング区分の後端を有する前記主本体における受入孔内に挿入される電気コネクタ組立。
【請求項８】
前記接点は、前記ケーブルを介して貫通するポスト装填接点を有する前記請求項７記載の電気コネクタ組立。
【請求項９】
フラット導体ケーブルと、このケーブルに取付けられた電気接点と、前記接点およびその中に配置された前記ケーブルの一部分とを有するハウジングであって、そのハウジングは主本体と、ロッキング区分およびこのロッキング区分を前記主本体に接続するリビングヒンジとを有してなり、前記ロッキング区分は、前記ハウジングから接点の引込みを阻止する前記ロッキング区分の前端、および前記ケーブルのための歪み逃げを形成するために前記主本体に対して前記フラット導体ケーブルをクランプする前記ロッキング区分の後端を有する前記主本体における受入孔内に挿入可能であるものとを有する電気コネクタ組立。
【請求項１０】
前記接点は、前記ケーブルを介して貫通する柱搭載接点を有する前記請求項９記載の電気コネクタ組立。
【請求項１１】
前記主本体と、前記ロッキング区分と、前記接点リビングヒンジとは、一体成形されたプラスチック部材からなる前記請求項９記載の電気コネクタ組立。
【請求項１２】
前記主本体は、前記接点の第１端子ラッチを受入れるようにされたラッチ受入孔を有する前記請求項９記載の電気コネクタ組立。
【請求項１３】
前記ロッキング区分の前端は、スナップロックラッチング区分を有する前記請求項９記載の電気コネクタ組立。
【請求項１４】
前記ロッキング区分の後端は、スナップロックラッチング区分を有する前記請求項１３記載の電気コネクタ組立。
【請求項１５】
前記リビングヒンジは、前記主本体の後端から延びる前記請求項９記載の電気コネクタ組立。
【請求項１６】
以下のステップを有する電気コネクタを組立てる方法。
電気接点をフラット導体ケーブルに接続すること、
前記接点および前記フラット導体ケーブルをコネクタハウジングの主区分内に挿入すること、
前記コネクタハウジングのロッキング区分を前記主区分の受入孔内に挿入することであって、前記コネクタハウジングは、前記ロッキング区分を前記主区分に接続するリビングヒンジを有し、かつ前記ロッキング区分を挿入するステップは前記リビングヒンジを曲げることを有するものであること、
前記ロッキング区分が前記コネクタハウジング内に挿入されて前記フラット導体ケーブルのための歪み逃げを形成するときに、前記フラット導体ケーブルの一部分を前記主区分と前記ロッキング区分との間にクランプすること。
【請求項１７】
前記電気接点を前記フラット導体ケーブルに接続するステップは、前記接点の一部分を前記フラット導体ケーブルを介して貫通することを有する前記請求項１６記載の方法。
【発明の詳細な説明】
【発明の技術分野】
【０００１】
この発明は、電気コネクタに関し、さらに特別には、電気コネクタおよびフラットフレキシブルケーブル組立に関する。
【背景技術】
【０００２】
特許文献１は、インターロッキングリビングヒンジを有する電気コネクタを開示している。フレキシブルフラット導体ケーブル（ＦＦＣ）またはフレキシブルプリント回路ケーブル（ＦＰＣ）に装填されたポストである電気コネクタは、この分野では公知である。
【０００３】
自動車産業において、電気コネクタ組立を受入れるためのコネクタポケットまたは凹所を有する配線フレームが、自動車の配線ハーネスの製造用に使用される。組立の間、両端に予め取付けられた端子を有する配線が、一度に１本、配線図式にしたがって1つのコネクタから他のコネクタに引き出される。この組立の方法は、回路の複雑さを扱うことにおいて、低コストで、効率的であり、前記ハーネスを設計変更することなしに回路変更に応じるのに柔軟であることを証明してきている。
【０００４】
自動車はより小さくなり、電気的／電子的内容が増加してきているので、自動車内にスペースを見つけて、ますますより大きい配線ハーネスを引き出すことは一層困難になってきている。この不具合に打勝つために用いられる１つの方法は、スペースと重量とを節約するために、個別の配線に代えて、フラットフレックスケーブル（ＦＦＣ）、またはフレキシブルプリント回路（ＦＰＣ）を使用することである。
【０００５】
過去に、ＦＦＣ、またはＦＰＣを用いて自動車配線ハーネスを形成する容認された方法は、端子を導体に取付けるための自動化された大量終端システムを使用し、コネクタを組立てることであった。しかしながら、そのような自動化大量終端システムは、その自動化された組立機械を購入するために比較的に大きい資本投資を要求する。さらに、その自動化されたシステムは、より複雑なハーネスを操作する困難性を有しており、回路変更が困難であり、または適応することが不可能であった。比較的に大規模な投資および自動化された大量終端システムの限られた柔軟性は、自動車の応用における成功を制限してきた。
【特許文献１】米国特許第６０２４６０５号明細書および図面
【発明の開示】
【発明が解決しようとする課題】
【０００６】
しかしながら、依然としてＦＦＣ／ＦＰＣ技術を使用して、重量およびスペースを節約するための配線ハーネスを製造する自動車製造者による要望がある。
【０００７】
組立ライン工程の間に自動車の比較的狭い領域内に挿入し得、しかし、低容量および高容量の品質のために、そして組立機械の比較的大規模な投資なしに、比較的容易に製造できる配線ハーネスの要求がある。
【発明の構成】
【０００８】
この発明の一概念によれば、電気コネクタハウジングは、受入領域内にそれに取付けられた接点を有するフラット導体ケーブルを受入れるために寸法どりし、形づくられる受入領域を有する主本体と、リビングヒンジによって前記主本体に接続されたロッキング区分とを有する。このロッキング区分は、前端と後端とを有する。このロッキング区分が前記主本体の受入孔内に挿入されるときに、その前端は、その受入領域に位置した接点の少なくとも１つの引込みを阻止するようにされ、その後端は、主本体に対してフラット導体ケーブルを押圧してそのケーブルのための歪み逃げを形成するように寸法どりされ、形づくられる少なくとも１つの歪み逃げ突起を有する。
【０００９】
この発明の他の実施例によれば、電気コネクタ組立は、フラット導体ケーブルと、このケーブルに取付けられた電気接点と、前記接点およびその中に位置するケーブルの一部を有するハウジングとを具備する。このハウジングは、主本体と、ロッキング区分およびこのロッキング区分を主本体に接続するリビングヒンジとを有する。ロッキング区分は、ハウジングから接点の引込みを阻止するロッキング区分の前端と、ケーブルのための歪み逃げを形成するために主本体に対してフラット導体ケーブルをクランプするロッキング区分の後端とを有する主本体における受入孔内に挿入可能である。
【００１０】
この発明の一方法によれば、電気コネクタを組立てる方法は、電気接点をフラット導体ケーブルに接続することと、コネクタハウジングの主区分内に前記接点および前記フラット導体ケーブルの一部を挿入することと、前記コネクタハウジングのロッキング区分を前記主区分受入孔内に挿入することであって、このコネクタハウジングは、ロッキング区分を前記主区分に接続するリビングヒンジを有し、前記ロッキング区分を挿入するステップは、リビングヒンジを曲げることを有することと、前記ロッキング区分が前記コネクタハウジング内に挿入されて前記フラット導体ケーブルのための歪み逃げを形成するときに、前記フラット導体ケーブルの一部を主区分とロッキング区分との間にクランプすることを有するステップを具備する電気コネクタを組立てる方法である。
【００１１】
この発明の前述した概念およびその他の特徴は、付属する図面に関連してなされる以下の記述において説明される。
【発明を実施するための最良の形態】
【００１２】
図１を参照して、図示されたように相互に接続されたこの発明の特徴を具体化している２つの電気コネクタおよびケーブル組立１０、１２の斜視図である。この発明は、図面に示された代表的な実施例に関連して記述されているが、この発明は、多くの異なる形状の実施例において具体化することができることを理解すべきである。さらに、あらゆる適切な、寸法、形状、またはタイプの構成要素、または材料を使用することができる。
【００１３】
また図２および３を参照して、前記第１の電気コネクタおよびケーブル１０は、通常、コネクタハウジング１４と、電気接点１６と、導体ケーブル１８とを有する。導体ケーブル１８は、通常、フレキシブルなフラット導体ケーブルまたはフレキシブルなプリント回路ケーブルを有するフレックスケーブルである。フレキシブルフラット導体ケーブルおよびフレキシブルプリント回路ケーブルは、この分野では周知である。図示された実施例において、導体ケーブル１８は、２本の電気導体２０、２１を有する。しかしながら、異なる実施例においては、その導体ケーブル１８は、２本よりも多いか、またはそれより少ない導体を有することができる。導体ケーブル１８の一端は、それに個別に接続された電気接点１６を有する。より特別には、各電気接点１６は、導体２０、２１のそれぞれ１つに電気的に接続される。導体ケーブル１８の反対端は、電気または電子部品、あるいはその他の電気コネクタのような他の部品（図示せず）に取付けられる。
【００１４】
第１組立１０は、２つの電気接点１６を有する。しかしながら、異なる実施例において、第１組立は、２本より多いかそれよりも少ない電気コネクタを有する。各電気コネクタ１６は、通常、ケーブル設置区分２２および結合する接点区分２４を有する。電気コネクタ１６は、一般にこの分野で周知である。異なる実施例において、フラット導体ケーブルに設置されるように適合されているあらゆるタイプの電気接点を設けることができる。
【００１５】
結合する接点区分２４は、前端の開口孔２６において結合する電気接点のおす接点区分を受入れる、めす接点区分を有する。ケーブル設置区分２２は、結合する接点区分２４の一側から後方に延びている。このケーブル設置区分２２の対向側は、止め面２８を有する。また、その対向側に位置して、結合する接点区分２４は、第１の端子ラッチ３０を有する。このラッチ３０は、弾性的に偏倚可能であり、後端ラッチ面３２を有する。
【００１６】
ケーブル設置区分２２は、２つのケーブル貫通区分３３を有する。この貫通区分３３は、ケーブル１８の導体２０、または２１内に、かつそれを介して挿入され、外方に変形してケーブルによって固定された機械的な接続を形成するようにされる。このことはまた、接点１６およびケーブル１８内の導体２０または２１の間に電気的接続を形成する。ケーブル設置区分２２はまた、各導体の周囲のケーブルの一部を巻きつける横方向アームを有する。このタイプの電気接続は、ときおり、端子または接点１６が、ハウジング１４内への挿入前にフレックスケーブル１８に搭載されるポスト装填接続として参照される。しかしながら、異なる実施例においては、接点１６およびケーブル１８間のあらゆるタイプの接続を設けることができる。
【００１７】
また、図５および６を参照して、第１ハウジング１４は、好ましくは一体成形プラスチック部材からなる。しかしながら、異なる実施例においては、第１コネクタハウジング１４は、複数の構成部品からなることもできる。第１ハウジング１４は、通常、主本体３４と、ロッキング区分３６と、このロッキング区分３６を主本体３４に接続するリビングヒンジ３８とを有する。
【００１８】
主本体３４は、通常、接点１６およびケーブル１８の一部を受入れるために寸法どりされ、形づくられる受入区分４０を有する。受入区分４０は、２つの接点受入区分４２を有する前方領域を有する。この２つの接点受入領域４２は、主本体３４から外へ前方端孔４４を有する。主本体３４の上部側は、第２組立１２（図１参照）をラッチするためのラッチング区分４６を有する。ラッチング区分４６は、主本体３４のその他の区分からカンチレバー方式で延びている。このように、ラッチング区分４６は、弾性的に偏倚して第２組立にスナップロック設置することができる。受入領域４０の後端は、主本体３４の後端でほぼ開口している。
【００１９】
主本体３４の底側は、ラッチ受入孔４８およびロッキング区分受入孔５０を有する。このラッチ受入孔４８は、接点１６の第１端子ラッチ３０を受入れる寸法である。ラッチ受入孔４８の後部表面５２は、ラッチ３０の後端ラッチ表面３２を係合するための止め面５２を形成する。止め面５２とラッチ表面３２との間の係合は、接点受入区分４２から接点１６の引込みを阻止するための第１接点ラッチング装置を形成する。ロッキング区分受入孔５０は、孔５０内にロッキング区分３６の挿入ができるように寸法どりされ、形づくられる。
【００２０】
ロッキング区分３６は、通常、前端５４および後端５６を有する。前端５４は、スナップロックラッチング区分５８および止め面６０を有する。ロッキング区分３６が受入孔５０内に挿入されると、スナップロックラッチング区分５８は、主本体３４を係合して前端５４を主本体にラッチする。止め面６０は、接点１６の止め面２８の直ぐ後方に位置される。止め面６０の直ぐ後方の配置は、第２の端子ロックを形成して、ラッチ３０によって設けられた第１端子ロックを補う。
【００２１】
ロッキング区分３６の後端５６は、歪み逃げ突起６２およびスナップロックラッチング区分６４を有する。スナップロックラッチング区分６４は、外方の横方向に延びる。ロッキング区分３６が受入孔５０内に挿入されるときに、スナップロックラッチング区分６４は、主本体３４を係合して主本体に対する後端５６をラッチする。歪み逃げ突起６２は、受入領域４０の後端において主本体３４に対して導体ケーブル１８を押圧またはクランプするように寸法どりされ形づくられる。
【００２２】
上述したように、ロッキング区分３６は、２つの機能を提供するようにされている。第１に、ロッキング区分３６は、接点１６のための第２の端子ロックを形成して、接点がコネクタの後方から外方に偶発的に離脱することを防止することができる。第２に、ロッキング区分３６は、導体ケーブル１８をコネクタハウジング１４にクランプするためのフラット導体ケーブル歪み逃げを形成することができる。
【００２３】
上記したように、ロッキング区分３６は、リビングヒンジ３８によって主本体３４に接続される。このリビングヒンジ３８は、ロッキング区分が孔５０内に挿入される前に、主本体３４に対してロッキング区分を支持する。このことは、コネクタハウジング１４が接点１６とケーブル１８とに取付けられる前に、ロッキング区分３６が引込まれるのを防止する。リビングヒンジ３８は、ロッキング区分３６が孔５０内に挿入されるときに、図３に示されるように曲げられる。しかしながら、異なる実施例においては、主本体３４に対するロッキング区分３６のあらゆる適切な接続を備えることができる。段状面区分６６は、主本体３４の底面に係合して、ロッキング区分の後端が受入領域４０に過剰に挿入されて、導体１８を永久に押しつぶしてしまうことを防止する。
【００２４】
図１、２、４、７および８を参照して、第２電気コネクタおよびケーブル１２についてさらに説明する。第２電気コネクタおよびケーブル１２は、通常、コネクタハウジング７４と、電気接点７６と、導体ケーブル７８とを有する。導体ケーブル７８は、フレックスケーブルであり、通常、フレキシブルなフラット導体ケーブル、またはフレキシブルなプリント回路ケーブルを有する。導体ケーブル７８の一端は、個別に接続された電気接点７６を有する。さらに特別には、各電気接点７６は、導体８０、８１のそれぞれ１つに電気的に接続される。導体ケーブル７８の反対端は、電気的、または電子的構成部品、またはその他の電気コネクタのようなその他の構成部品（図示せず）に取付けられる。
【００２５】
第２組立１２は、２つの電気接点７６を有する。しかしながら、異なる実施例においては、第２組立は、２つより多いか、またはそれより少ない電気接点を有することができる。各電気接点７６は、通常、ケーブル設置区分８２および結合接点区分８４を有する。電気接点７６は、一般的にこの分野で周知である。異なる実施例においては、フラット導体ケーブルに設置されるようにされるあらゆるタイプの電気接点を有することができる。
【００２６】
結合接点区分８４は、１つの接点１６のめす接点区分内に挿入されるようにされる、おす接点区分を有する。ケーブル設置区分８２は、結合接点区分の一側から後方に延びる。結合接点区分８４の後端は、止め面８８を有する。結合接点区分８４はまた、第１端子ラッチ９０を有する。このラッチ９０は、弾性的に偏倚可能で、後端ラッチ表面９２を有する。
【００２７】
ケーブル組立区分８２は、２つのケーブル貫通区分９３を有する。この貫通区分９３は、ケーブル７８の導体８０または８１内に、かつそれを通って挿入され、ケーブルと強固な接続を形成するように外方に変形するようにされている。このことはまた、接点７６とケーブル７８内の導体８０または８１との間に電気的接続を形成する。しかしながら、異なる実施例においては、接点７６とケーブル７８との間のあらゆるタイプの接続を設けることができる。
【００２８】
第２ハウジング７４は、好ましくは一体成形プラスチック部材からなる。しかしながら、異なる実施例においては、第２コネクタハウジング７４は、複数の構成部品からなることもできる。第２ハウジング７４は、通常、主本体９４と、ロッキング区分９６と、このロッキング区分９６を主本体９４に接続するリビングヒンジ９８とを有する。
【００２９】
主本体９４は、通常、接点７６およびケーブル７８の一部を受入れるために寸法どりされ形づくられる受入（区分）領域１００、および第１組立１０の前端を受入れるために寸法どりされ形づくられる前方受入領域１０１を有する。後部受入領域１００は、２つの接点受入区分１０２を有する前方領域を有する。主本体９４の上部側は、第１組立１０（図１参照）をラッチするためのラッチング区分１０６を有する。ラッチング区分１０６は、スロット８５およびラッチング表面８３を有する。後部受入領域１００の後端は、主本体９４の後端でほぼ開口している。
【００３０】
主本体９４の上側は、ラッチ受入孔１０８を有する。主本体９４の底側は、ロッキング区分受入孔１１０を有する。このラッチ受入孔１０８は、接点７６の第１端子ラッチ９０を受入れるために寸法どりされ形づくられる。ラッチ受入孔１０８の後部表面１１２は、ラッチ９０の後端ラッチ表面９２を係合するための止め面を形成する。止め面１１２とラッチ表面９２との間の係合は、接点受入区分１０２から接点７６の引込みを阻止するための第１接点ラッチング装置を形成する。ロッキング区分受入孔１１０は、孔１１０内にロッキング区分９６の挿入ができるように寸法どりされ形づくられる。
【００３１】
ロッキング区分９６は、通常、前端１１４および後端１１６を有する。前端１１４は、スナップロックラッチング区分１１８および止め面１２０を有する。ロッキング区分９６が受入孔１１０内に挿入されると、スナップロックラッチング区分１１８は、主本体９４と係合して、前端１１４を主本体にラッチする。止め面１２０は、接点７６の止め面８８の直ぐ後方に位置される。止め面１２０の直ぐ後方の配置は、第２の端子ロックを形成して、ラッチ９０によって与えられた第１端子ロックを補う。
【００３２】
ロッキング区分９６の後端１１６は、歪み逃げ突起１１２およびスナップロックラッチング区分１２４を有する。スナップロックラッチング区分１２４は、外方の横方向に延びる。ロッキング区分９６が受入孔１１０内に挿入されるときに、スナップロックラッチング区分１２４は、主本体９４を係合して、主本体に対して後端１１６をラッチする。歪み逃げ突起１１２は、受入領域１００の後端において、主本体９４に対して導体ケーブル７８を押圧またはクランプするように寸法どりされ形づくられる。
【００３３】
上述したように、ロッキング区分９６は、２つの機能を提供するようにされている。第１に、ロッキング区分９６は、接点７６のための第２の端子ロックを形成して、接点がコネクタの後方から偶発的に離脱することを防止することができる。第２に、ロッキング区分９６は、導体ケーブル７８をコネクタハウジング７４にクランプするためのフラット導体ケーブル歪み逃げを形成する。
【００３４】
上記したように、ロッキング区分９６は、リビングヒンジ９８によって主本体９４に接続される。このリビングヒンジ９８は、ロッキング区分が孔１１０内に挿入される前に、主本体９４に対してロッキング区分を保持する。このことは、コネクタハウジング７４が接点７６とケーブル７８とに取付けられる前に、ロッキング区分９６が引込まれるのを阻止する。リビングヒンジ９８は、ロッキング区分９６が孔１１０に挿入されるときに、図４に示されるように曲げられる。しかしながら、異なる実施例においては、主本体９４に対するロッキング区分９６のあらゆる適切な接続を備えることができる。段状面区分１２６は、主本体９４の底面に係合して、ロッキング区分９６の後端が受入領域１００に過剰に挿入されて、導体７８を永久に押しつぶしてしまうことを防止する。
【００３５】
また図９および１０を参照して、図１に示される組立１０の異なる実施例のためのコネクタハウジング１３０が示されている。この実施例において、コネクタハウジング１３０は、４つの電気接点１６および４つの導体を有するフラット導体ケーブルとともに使用されるようにされる。コネクタハウジング１３０は、通常、主本体１３２と、ロッキング区分１３４と、リビングヒンジ１３６とを有する。リビングヒンジ１３６は、ロッキング区分１３４を主本体１３２に接続する。ロッキング区分１３４は、前端１３８および後端１４０を有する。後端１４０は、２つの歪み逃げ突起１４２を有する。この歪み逃げ突起１４２はまた、スナップロックラッチング区分１４４を有する。前端１３８は、４つの突起１４６を有する。各突起１４６は、スナップロックラッチング区分１４８および止め面１５０を有する。溝１５２は、突起１４６間に設けられ、主本体１３２におけるセパレータ部１５４を
図５および６に示されるコネクタハウジング１４と同様に、コネクタハウジング１３０は、ロッキング区分１３４を受入れるようにされるロッキング区分受入孔１５６を有する。このロッキング区分１３４は、孔１５６内に挿入され、主本体１３２にスナップロック設置される。歪み逃げ突起１４２は、後部受入領域１５８における主本体１３２に対してフラットフレックス導体ケーブルの横方向端をクランプすることができる。止め面１５０は、接点１６の引込みに対する障害を形成することができる。コネクタハウジング１３０はまた、電気接点１６の第１端子ラッチ３０を受入れるための主本体１３２におけるラッチ受入孔１６０を有する。
【００３６】
今度はまた図１１および１２を参照して、図１に示される組立１２の異なる実施例のためのコネクタハウジング１６２が示されている。コネクタハウジング１６２は、４つの電気接点７６および４つの導体を有するフレックスケーブルを受入れるようにされる。コネクタハウジング１６２は、通常、主本体１６４と、ロッキング区分１６６と、リビングヒンジ１６８とを有する。主本体１６４は、前部受入領域１７０と、後部受入領域１７２と、ラッチ受入領域１７４と、ロッキング区分受入孔１７６とを有する。主本体１６４はまた、ラッチング表面１７８およびスロット１８０を有する。このラッチング表面１７８およびスロット１８０は、図７および８に関して記述したスロット８５および表面８３と同様の方法で機能する。
【００３７】
前部受入領域１７０は、その中に図９および１０に示されるコネクタハウジング１３０を受入れるように寸法どりされ形づくられる。ラッチ受入領域１７４は、接点７６のラッチ９０を受入れるようにされる。ロッキング区分１６６は、図９および１０に示されるロッキング区分１３８とほぼ同一である。このように、同様な数字が、図９および１０に示されるロッキング区分の特徴に対応して図１１および１２において使用されている。ロッキング区分１６６は、ロッキング区分受入孔１７６内に挿入してスナップロックされる。歪み逃げ突起１４２は、後部受入領域１７２における主本体１６４に対して導体ケーブルの横方向端をクランプすることができる。止め面１５２は、接点７６の引込みに対する障害を形成することができる。
【００３８】
これまでの記述は、単にこの発明の例証であることが理解されるべきである。多様な改良や変更が、この発明から逸脱することなく当業者によって案出することができる。したがって、この発明は、付属する請求項の範囲内のすべての改良、変更、修正を包含することが意図されている。
【図面の簡単な説明】
【００３９】
【図１】相互に接続され図示されたこの発明の特徴を具体化する２つの電気コネクタとケーブル組立との斜視図。
【図２】図１に示された組立の構成部品の分解斜視図。
【図３】図１に示された電気コネクタおよびケーブル組立の第１のものの断面図。
【図４】図１に示された電気コネクタおよびケーブル組立の第２のものの断面図。
【図５】図３に示された前記組立の電気コネクタハウジングの斜視図。
【図６】図３に示された前記組立の電気コネクタハウジングの斜視図。
【図７】図４に示された前記組立の電気コネクタハウジングの斜視図。
【図８】図４に示された前記組立の電気コネクタハウジングの斜視図。
【図９】図５に示された前記電気コネクタハウジングの異なる実施例の斜視図。
【図１０】同じく図６に示された前記電気コネクタハウジングの異なる実施例の斜視図。
【図１１】図７に示された前記電気コネクタハウジングの異なる実施例の斜視図。
【図１２】同じく図８に示された前記電気コネクタハウジングの異なる実施例の斜視図。
【図１】
2006511918.tif 000003
【図２】
2006511918.tif 000004
【図３】
2006511918.tif 000005
【図４】
2006511918.tif 000006
【図５】
2006511918.tif 000007
【図６】
2006511918.tif 000008
【図７】
2006511918.tif 000009
【図８】
2006511918.tif 000010
【図９】
2006511918.tif 000011
【図１０】
2006511918.tif 000012
【図１１】
2006511918.tif 000013
【図１２】
2006511918.tif 000014
【国際調査報告】
2006511918.tif 000015